(57)【要約】【課題】電話機を用いてメッセージコンテンツを送受信できる電話メッセージシステム、および、電話機による通話中に種々の付加音を付加することのできる通話転送システムを提供する。【解決手段】携帯電話ネットワーク３にコンテンツサーバ１を接続する。コンテンツサーバ１は、携帯電話機２Ａから２Ｂへの通話を中継する。電話メッセージシステムのサーバとして機能する場合には、携帯電話機２Ａから送られてきた音声メッセージ、ＢＧＭ、背景画像などを送信日時まで保管し、送信日時が到来すると、これを携帯電話機２Ｂに送信する。通話転送システムとして機能する場合には、携帯電話機２Ａ、２Ｂ間の通話音声を相互に転送するとともに、このときにＢＧＭや効果音声などを合成して通話を盛り上げる。【選択図】  図１
2004274464.tif 000002
【特許請求の範囲】
【請求項１】
第１の電話機、第２の電話機、および、コンテンツサーバを電話ネットワークで接続したシステムであって、
第１の電話機は、コンテンツサーバにアクセスして、第２の電話機に対するメッセージコンテンツである音声メッセージ、ＡＶデータ、および、その送信日時を送信し、
コンテンツサーバは、第１の電話機から受信した前記メッセージコンテンツを前記送信日時まで保存し、送信日時が到来すると、第２の電話機に対して前記ＡＶデータを送信するとともに、第２の電話機を呼び出して応答があったとき前記音声メッセージを再生し、
第２の電話機は、コンテンツサーバから受信したＡＶデータを、前記コンテンツサーバからの呼び出し時、または、コンテンツサーバとの通話時に再生されるように設定することを特徴とする電話メッセージシステム。
【請求項２】
第１の電話機、第２の電話機、および、複数のＡＶデータを記憶したデータベースを備えたコンテンツサーバを電話ネットワークで接続したシステムであって、
第１の電話機は、コンテンツサーバにアクセスして、音声メッセージ、前記複数のＡＶデータのなかから１または複数のＡＶデータを選択する選択情報、および、その送信日時を送信し、
コンテンツサーバは、第１の電話機から受信した音声メッセージおよび選択情報を前記送信日時まで保存し、送信日時が到来すると、第２の電話機に対して前記選択情報によって選択されたＡＶデータを送信するとともに、第２の電話機を呼び出して応答があったとき前記音声メッセージを再生し、
第２の電話機は、コンテンツサーバから受信したＡＶデータを、前記コンテンツサーバからの呼び出し時、または、コンテンツサーバとの通話時に再生されるように設定することを特徴とする電話メッセージシステム。
【請求項３】
前記ＡＶデータは、画像データおよび曲データの一方または両方であり、
第２の電話機は、コンテンツサーバから画像データを受信したとき、これを非着信時に表示する待ち受け画像、または、通話時に表示する背景画像として設定し、コンテンツサーバから曲データを受信したとき、これを着信時に演奏する着信メロディ、または、通話時に演奏する背景音として設定する請求項１または請求項２に記載の電話メッセージシステム。
【請求項４】
前記ＡＶデータは、電子メールの添付書類として送信される請求項１乃至請求項３のいずれかに記載の電話メッセージシステム。
【請求項５】
コンテンツサーバは、前記ＡＶデータをインターネット上に公開するとともに、第２の電話機にそのＵＲＬを電子メールで通知し、第２の電話機が前記ＵＲＬにアクセスしたとき、前記ＡＶデータが第２の電話機に送信される請求項１乃至請求項３のいずれかに記載の電話メッセージシステム。
【請求項６】
第１の電話機、第２の電話機、および、コンテンツサーバを電話ネットワークで接続したシステムであって、
第１の電話機は、コンテンツサーバにアクセスして、第２の電話機に対するメッセージコンテンツである音声メッセージ、ＡＶデータ、および、その送信日時を送信し、
コンテンツサーバは、第１の電話機から受信した前記メッセージコンテンツを前記送信日時まで保存し、送信日時が到来すると、第２の電話機を呼び出し、第２の電話機が応答したとき、前記メッセージコンテンツを送信する旨の通知文言を送信し、その後、第２の電話機に対して前記メッセージコンテンツを送信し、第２の電話機は、コンテンツサーバから前記メッセージコンテンツを受信したとき、これを再生することを特徴とする電話メッセージシステム。
【請求項７】
第１の電話機、第２の電話機、および、複数のＡＶデータを記憶したデータベースを備えたコンテンツサーバを電話ネットワークで接続したシステムであって、
第１の電話機は、コンテンツサーバにアクセスして、音声メッセージ、前記複数のＡＶデータのなかから１または複数のＡＶデータを選択する選択情報、および、その送信日時を送信し、
コンテンツサーバは、第１の電話機から受信した音声メッセージおよび選択情報を前記送信日時まで保存し、送信日時が到来すると、第２の電話機を呼び出し、第２の電話機が応答したとき、メッセージコンテンツを送信する旨の通知文言を送信し、その後、第２の電話機に対して前記音声メッセージおよび選択情報によって選択されたＡＶデータをメッセージコンテンツとして送信し、
第２の電話機は、コンテンツサーバから前記メッセージコンテンツを受信したとき、これを再生することを特徴とする電話メッセージシステム。
【請求項８】
前記通知文言は、第１の電話機からコンテンツサーバに送信され、コンテンツサーバは、この通知文言を前記メッセージコンテンツとともに保存する請求項６または請求項７に記載の電話メッセージシステム。
【請求項９】
前記ＡＶデータは、画像データおよび曲データの一方または両方である請求項６乃至請求項８のいずれかに記載の電話メッセージシステム。
【請求項１０】
前記メッセージコンテンツは、電子メールの添付書類として送信される請求項６乃至請求項９のいずれかに記載の電話メッセージシステム。
【請求項１１】
コンテンツサーバは、前記メッセージコンテンツをインターネット上に公開するとともに、第２の電話機にそのＵＲＬを電子メールで通知し、第２の電話機が前記ＵＲＬにアクセスしたとき、前記メッセージコンテンツが第２の電話機に送信される請求項６乃至請求項９のいずれかに記載の電話メッセージシステム。
【請求項１２】
前記第１の電話機および第２の電話機は、携帯電話である請求項１乃至請求項１１のいずれかに記載の電話メッセージシステム。
【請求項１３】
第１の電話機から、第２の電話機に対するメッセージコンテンツである音声メッセージ、ＡＶデータを受信するとともに、その送信日時を受信する受信手段と、
前記メッセージコンテンツを前記送信日時まで保存する記憶手段と、
前記送信日時が到来したとき、第２の電話機に対して前記ＡＶデータを送信する送信手段と、
前記ＡＶデータを送信したのち、第２の電話機を呼び出して、応答があったとき、前記音声メッセージを再生して送信する通話手段と、を備えたコンテンツサーバ。
【請求項１４】
複数のＡＶデータを記憶したデータベースと、
第１の電話機から、音声メッセージ、前記複数のＡＶデータのなかから１または複数のＡＶデータを選択する選択情報を受信するとともに、その送信日時を受信する受信手段と、
前記第１の電話機から受信した音声メッセージおよび選択情報を前記送信日時まで保存する記憶手段と、
前記送信日時が到来したとき、第２の電話機に対して前記選択情報によって選択されたＡＶデータを送信する送信手段と、
前記ＡＶデータを送信したのち、第２の電話機を呼び出して、応答があったとき、前記音声メッセージを再生して送信する通話手段と、を備えたコンテンツサーバ。
【請求項１５】
第１の電話機から、第２の電話機に対するメッセージコンテンツである音声メッセージ、ＡＶデータを受信するとともに、その送信日時を受信する受信手段と、
前記メッセージコンテンツを前記送信日時まで保存する記憶手段と、
送信日時が到来したとき、第２の電話機を呼び出し、第２の電話機が応答したとき、前記メッセージコンテンツを送信する旨の通知文言を送信する通知手段と、
前記通知文言の送信ののち、第２の電話機に対して前記メッセージコンテンツを送信する送信手段と、を備えたコンテンツサーバ。
【請求項１６】
複数のＡＶデータを記憶したデータベースと、
第１の電話機から、音声メッセージ、前記複数のＡＶデータのなかから１または複数のＡＶデータを選択する選択情報を受信するとともに、その送信日時を受信する受信手段と、
前記第１の電話機から受信した音声メッセージおよび選択情報を前記送信日時まで保存する記憶手段と、
送信日時が到来したとき、第２の電話機を呼び出し、第２の電話機が応答したとき、メッセージコンテンツを送信する旨の通知文言を送信する通知手段と、
前記通知文言の送信ののち、前記音声メッセージおよび選択情報によって選択されたＡＶデータをメッセージコンテンツとして送信する送信手段と、を備えたコンテンツサーバ。
【請求項１７】
第１の電話機、第２の電話機、および、コンテンツサーバを電話ネットワークで接続したシステムであって、
第１の電話機は、コンテンツサーバにアクセスして第２の電話機の電話番号を送信し、
コンテンツサーバは、第１の電話機から第２の電話番号を受信したとき、第２の電話機を呼び出し、第２の電話機が応答したとき、第１の電話機の通話音声を第２の電話機に転送するとともに、第２の電話機の通話音声を第１の電話機に転送し、このとき、背景音や効果音声などの付加音を発生し、これを前記第１の電話機の通話音声および第２の電話機の通話音声に合成して転送する通話転送システム。
【請求項１８】
コンテンツサーバは、複数の付加音を記憶しており、第１の電話機から送信される選択信号に応じて合成すべき付加音を選択する請求項１７に記載の通話転送システム。
【請求項１９】
前記コンテンツサーバは、第１または第２の電話機から送られてくる発生指示信号に応じて効果音声を発生させる請求項１７または請求項１８に記載の通話転送システム。
【請求項２０】
前記コンテンツサーバは、第１の電話機の通話音声または第２の電話機の通話音声の中から所定のキーワードを検出したとき、効果音声を発生させる請求項１７乃至請求項１９のいずれかに記載の通話転送システム。
【請求項２１】
第１の電話機からの着信に応答するとともに、この第１の電話機から指定された第２の電話機を呼び出し、第２の電話機が応答したとき、第１の電話機の通話音声を第２の電話機に転送するとともに、第２の電話機の通話音声を第１の電話機に転送する通信処理手段と、
背景音や効果音声などの付加音を発生し、前記通信処理手段が転送する前記第１の通話音声および第２の通話音声に対してこの付加音を合成する合成手段と、を備えたコンテンツサーバ。
【請求項２２】
複数の付加音を記憶する記憶手段を備え、前記第１の電話機から送信されてきた選択信号に応じて合成すべき付加音を選択する請求項２１に記載のコンテンツサーバ。
【請求項２３】
前記合成手段は、第１または第２の電話機から送られてくる発生指示信号に応じて効果音声を発生させる請求項２１または請求項２２に記載のコンテンツサーバ。
【請求項２４】
前記合成手段は、第１の電話機の通話音声または第２の電話機の通話音声の中から所定のキーワードを検出したとき、効果音声を発生させる請求項２１乃至請求項２３のいずれかに記載のコンテンツサーバ。
【発明の詳細な説明】
【０００１】
【発明の属する技術分野】
この発明は、電話を介して画像や音声を含むメッセージを送ることのできる電話メッセージシステム、コンテンツサーバ、および、電話で通話中にＢＧＭなどの背景音や合いの手などの効果音声を付加することのできる通話転送システム、コンテンツサーバに関する。
【０００２】
【発明が解決しようとする課題】
電話を介してメッセージを送るシステムは従来なかった。また、話中に送ることができる音声は、話者の声とその人がいる場所の騒音であった。携帯のメール機能を使って送ることができるのは、文字と画像のみで音声を送ることはできなかった。携帯端末に入っているデータを使うことしかできなかった。
【０００３】
据置電話、携帯電話などの電話機は、従来の音声通話の手段を越えて文字情報や画像情報などの情報伝達手段になってきている。
【０００４】
この発明は、電話機を用いてメッセージコンテンツを送受信できるシステム、電話機による通話中に種々の付加音を付加することのできる通話転送システム、および、これらのシステムに用いられるコンテンツサーバを提供することを目的とする。
【０００５】
【課題を解決するための手段】
請求項１の発明は、第１の電話機、第２の電話機、および、コンテンツサーバを電話ネットワークで接続した電話メッセージシステムであって、第１の電話機は、コンテンツサーバにアクセスして、第２の電話機に対するメッセージコンテンツである音声メッセージ、ＡＶデータ、および、その送信日時を送信し、コンテンツサーバは、第１の電話機から受信した前記メッセージコンテンツを前記送信日時まで保存し、送信日時が到来すると、第２の電話機に対して前記ＡＶデータを送信するとともに、第２の電話機を呼び出して応答があったとき前記音声メッセージを再生し、第２の電話機は、コンテンツサーバから受信したＡＶデータを、前記コンテンツサーバからの呼び出し時、または、コンテンツサーバとの通話時に再生されるように設定することを特徴とする。
【０００６】
請求項２の発明は、第１の電話機、第２の電話機、および、複数のＡＶデータを記憶した記憶手段を備えたコンテンツサーバを電話ネットワークで接続した電話メッセージシステムであって、第１の電話機は、コンテンツサーバにアクセスして、音声メッセージ、前記複数のＡＶデータのなかから１または複数のＡＶデータを選択する選択情報、および、その送信日時を送信し、コンテンツサーバは、第１の電話機から受信した音声メッセージ、および、前記選択情報によって選択されたＡＶデータを第２の電話機に対するメッセージコンテンツとして前記送信日時まで保存し、送信日時が到来すると、第２の電話機に対して前記ＡＶデータを送信するとともに、第２の電話機を呼び出して応答があったとき前記音声メッセージを再生し、第２の電話機は、コンテンツサーバから受信したＡＶデータを、前記コンテンツサーバからの呼び出し時、または、コンテンツサーバとの通話時に再生されるように設定することを特徴とする。
【０００７】
請求項１３の発明であるコンテンツサーバは、第１の電話機から、第２の電話機に対するメッセージコンテンツである音声メッセージ、ＡＶデータを受信するとともに、その送信日時を受信する受信手段と、前記メッセージコンテンツを前記送信日時まで保存する記憶手段と、前記送信日時が到来したとき、第２の電話機に対して前記ＡＶデータを送信する送信手段と、前記ＡＶデータを送信したのち、第２の電話機を呼び出して、応答があったとき、前記音声メッセージを再生して送信する通話手段と、を備えたことを特徴とする。
【０００８】
請求項１４の発明であるコンテンツサーバは、複数のＡＶデータを記憶したデータベースと、第１の電話機から、音声メッセージ、前記複数のＡＶデータのなかから１または複数のＡＶデータを選択する選択情報を受信するとともに、その送信日時を受信する受信手段と、前記第１の電話機から受信した音声メッセージおよび選択情報を前記送信日時まで保存する記憶手段と、前記送信日時が到来したとき、第２の電話機に対して前記選択情報によって選択されたＡＶデータを送信する送信手段と、前記ＡＶデータを送信したのち、第２の電話機を呼び出して、応答があったとき、前記音声メッセージを再生して送信する通話手段と、を備えたことを特徴とする。
【０００９】
上記発明では、音声や画像などのＡＶデータの再生と並行して第１の電話機の所持者の音声メッセージが着信するという内容のメッセージコンテンツを第２の電話機に対して送信することができる。送信日時が到来すればコンテンツサーバが自動的に送信してくれるため、第１の電話機の所持者が送信日時を意識しなくてもよくなる。また、請求項２の発明では、コンテンツサーバが記憶しているＡＶデータを使って第２の電話機にメッセージコンテンツを送信することができるため、第１の電話機のデータ転送量を少なくすることができる。
なお、ＡＶデータとしては、画像データ、曲データ、圧縮音声ファイルなどを適用することができるが、これらを別々のデータとして扱ってもよく、ＳＭＡＦファイルなど複数のチャンクとしてこれらを統合したファイルとして扱ってもよい。なお、この明細書における再生は、画像の表示、ＭＩＤＩデータなどの自動演奏データの演奏、圧縮音声データのデコードなどの処理を含んでいる。
【００１０】
請求項３の発明は、請求項１、２の発明において、前記ＡＶデータが画像データおよび曲データの一方または両方であり、第２の電話機は、コンテンツサーバから画像データを受信したとき、これを非着信時に表示する待ち受け画像、または、通話時に表示する背景画像として設定し、コンテンツサーバから曲データを受信したとき、これを着信時に演奏する着信メロディ、または、通話時に演奏する背景音として設定することを特徴とする。
【００１１】
上記発明では、第２の電話機が、コンテンツサーバから受信した画像データを待ち受け画像、通話時の背景画像として設定し、コンテンツサーバから受信した曲データを着メロ、通話時の背景音（ＢＧＭ）として設定する。これにより、コンテンツサーバからの呼び出しが着信したときに、待ち受け画像および着メロが再生されており、第２の電話機の所持者がこれに応答したときにコンテンツサーバから音声メッセージが送られてくるとともに、背景画像が表示されるとともに背景音が再生され、音声メッセージを演出することができる。
【００１２】
請求項４の発明は、請求項１〜３の発明において、前記ＡＶデータが電子メールの添付書類として送信されることを特徴とする。
請求項５の発明は、請求項１〜３の発明において、コンテンツサーバが、前記ＡＶデータをインターネット上に公開するとともに、第２の電話機にそのＵＲＬを電子メールで通知し、第２の電話機が前記ＵＲＬにアクセスしたとき、前記ＡＶデータが第２の電話機に送信（ダウンロード）されることを特徴とする。
【００１３】
請求項４の発明では、ＡＶデータが第２の電話機に対する電子メールの添付書類として送信されるため、第２の電話機の所持者の操作を待つことなく、コンテンツサーバから第２の電話機に対して直接ＡＶデータを送り込み、電話の着信前後に再生されるように設定することが可能になる。また、請求項５の発明では、電子メールでＵＲＬを送信し、第２の電話機がこのＵＲＬにアクセスしたときＡＶデータが第２の電話機にダウンロードされるようにしたことにより、電子メールを軽くすることができるとともに、添付書類を送ることができない電子メールシステムにもこの発明を適用することが可能になる。
【００１４】
請求項６の発明は、第１の電話機、第２の電話機、および、コンテンツサーバを電話ネットワークで接続した電話メッセージシステムであって、第１の電話機は、コンテンツサーバにアクセスして、第２の電話機に対するメッセージコンテンツである音声メッセージ、ＡＶデータ、および、その送信日時を送信し、コンテンツサーバは、第１の電話機から受信した前記メッセージコンテンツを前記送信日時まで保存し、送信日時が到来すると、第２の電話機を呼び出し、第２の電話機が応答したとき、前記メッセージコンテンツを送信する旨の通知文言を送信し、その後、第２の電話機に対して前記メッセージコンテンツを送信し、第２の電話機は、コンテンツサーバから前記メッセージコンテンツを受信したとき、これを再生することを特徴とする。
【００１５】
請求項７の発明は、第１の電話機、第２の電話機、および、複数のＡＶデータを記憶したデータベースを備えたコンテンツサーバを電話ネットワークで接続した電話メッセージシステムであって、第１の電話機は、コンテンツサーバにアクセスして、音声メッセージ、前記複数のＡＶデータのなかから１または複数のＡＶデータを選択する選択情報、および、その送信日時を送信し、コンテンツサーバは、第１の電話機から受信した音声メッセージおよび選択情報を前記送信日時まで保存し、送信日時が到来すると、第２の電話機を呼び出し、第２の電話機が応答したとき、メッセージコンテンツを送信する旨の通知文言を送信し、その後、第２の電話機に対して前記音声メッセージおよび選択情報によって選択されたＡＶデータをメッセージコンテンツとして送信し、第２の電話機は、コンテンツサーバから前記メッセージコンテンツを受信したとき、これを再生することを特徴とする。
【００１６】
請求項１５の発明であるコンテンツサーバは、第１の電話機から、第２の電話機に対するメッセージコンテンツである音声メッセージ、ＡＶデータを受信するとともに、その送信日時を受信する受信手段と、前記メッセージコンテンツを前記送信日時まで保存する記憶手段と、送信日時が到来したとき、第２の電話機を呼び出し、第２の電話機が応答したとき、前記メッセージコンテンツを送信する旨の通知文言を送信する通知手段と、前記通知文言の送信ののち、第２の電話機に対して前記メッセージコンテンツを送信する送信手段と、を備えたことを特徴とする。
【００１７】
請求項１６の発明であるコンテンツサーバは、複数のＡＶデータを記憶したデータベースと、第１の電話機から、音声メッセージ、前記複数のＡＶデータのなかから１または複数のＡＶデータを選択する選択情報を受信するとともに、その送信日時を受信する受信手段と、前記第１の電話機から受信した音声メッセージおよび選択情報を前記送信日時まで保存する記憶手段と、送信日時が到来したとき、第２の電話機を呼び出し、第２の電話機が応答したとき、メッセージコンテンツを送信する旨の通知文言を送信する通知手段と、前記通知文言の送信ののち、前記音声メッセージおよび選択情報によって選択されたＡＶデータをメッセージコンテンツとして送信する送信手段と、を備えたことを特徴とする。
【００１８】
上記発明では、コンテンツサーバが、第２の電話機に対して第１の電話機からのメッセージコンテンツを送信する旨を事前に通知し、その後、コンテンツサーバが第２の電話機に対して音声メッセージおよびＡＶデータからなるメッセージコンテンツを送信する。これにより、音声や画像などのＡＶデータと第１の電話機の所持者の音声メッセージが一緒に着信するという内容のメッセージコンテンツを第２の電話機に対して送信することができる。送信日時が到来すればコンテンツサーバが自動的に送信してくれるため、第１の電話機の所持者が送信日時を意識しなくてもよくなる。また、請求項７の発明では、コンテンツサーバが記憶しているＡＶデータを使って第２の電話機にメッセージコンテンツを送信することができるため、第１の電話機のデータ転送量を少なくすることができる。
なお、ＡＶデータとしては、画像データ、曲データ、圧縮音声ファイルなどを適用することができるが、これらを別々のデータとして扱ってもよく、ＳＭＡＦファイルなど複数のチャンクとしてこれらを統合したファイルとして扱ってもよい。
【００１９】
請求項８の発明は、請求項６、７の発明において、前記通知文言が、第１の電話機からコンテンツサーバに送信され、コンテンツサーバは、この通知文言を前記メッセージコンテンツとともに保存することを特徴とする。
【００２０】
上記発明では、メッセージコンテンツを送信する旨の通知も第１の電話機の所持者の音声を録音したものを用いるようにした。これにより、第２の電話機の所持者は、この通知文言を聞いたのち安心してメッセージコンテンツを受信することができる。
【００２１】
請求項９の発明は、請求項６〜８の発明において、前記ＡＶデータが、画像データおよび曲データの一方または両方からなることを特徴とする。
【００２２】
請求項１０の発明は、請求項６〜９の発明において、前記メッセージコンテンツが、電子メールの添付書類として送信されることを特徴とする。
【００２３】
請求項１１の発明は、請求項６〜９の発明において、コンテンツサーバが、前記メッセージコンテンツをインターネット上に公開するとともに、第２の電話機にそのＵＲＬを電子メールで通知し、第２の電話機が前記ＵＲＬにアクセスしたとき、前記メッセージコンテンツが第２の電話機に送信されることを特徴とする。
【００２４】
請求項１０の発明では、ＡＶデータを含むメッセージコンテンツが第２の電話機に対する電子メールの添付書類として送信されるため、第２の電話機の所持者の操作を待つことなく、コンテンツサーバから第２の電話機に対して直接アクセスしてメッセージコンテンツを再生させることができる。また、請求項１１の発明では、電子メールでＵＲＬを送信し、第２の電話機がこのＵＲＬにアクセスしたときメッセージコンテンツが第２の電話機に送信（ストリーミング再生）されるようにしたことにより、電子メールを軽くすることができるとともに、添付書類を送ることができない電子メールシステムにもこの発明を適用することが可能になる。
【００２５】
請求項１２の発明は、請求項１〜１１の発明において、前記第１の電話機および第２の電話機が、携帯電話であることを特徴とする。
据置型の電話機であっても、たとえばＬモード（商標）などインターネットアクセス機能を備えたものであれば、この発明に適用することができるが、この発明を、着信メロディの再生機能を備えるとともにディスプレイを備えており、電子メール機能も通常の機能として備えている携帯電話に適用した場合、より顕著な作用効果を奏する。
【００２６】
請求項１７の発明は、第１の電話機、第２の電話機、および、コンテンツサーバを電話ネットワークで接続した通話転送システムであって、第１の電話機は、コンテンツサーバにアクセスして第２の電話機の電話番号を送信し、コンテンツサーバは、第１の電話機から第２の電話番号を受信したとき、第２の電話機を呼び出し、第２の電話機が応答したとき、第１の電話機の通話音声を第２の電話機に転送するとともに、第２の電話機の通話音声を第１の電話機に転送し、このとき、背景音や効果音声などの付加音を発生し、これを前記第１の電話機の通話音声および第２の電話機の通話音声に合成して転送することを特徴とする。
【００２７】
請求項２１の発明であるコンテンツサーバは、第１の電話機からの着信に応答するとともに、この第１の電話機から指定された第２の電話機を呼び出し、第２の電話機が応答したとき、第１の電話機の通話音声を第２の電話機に転送するとともに、第２の電話機の通話音声を第１の電話機に転送する通信処理手段と、背景音や効果音声などの付加音を発生し、前記通信処理手段が転送する前記第１の通話音声および第２の通話音声に対してこの付加音を合成する合成手段と、を備えたことを特徴とする。
【００２８】
上記発明では、第１の電話機と第２の電話機の通話にＢＧＭや環境音などの背景音や合いの手などの効果音声からなる付加音を合成して転送する。これにより、第１の電話機と第２の電話機との通話の雰囲気を盛り上げたり、実際の通話の場所とは異なる場所にいるような背景音で通話をすることが可能になる。
【００２９】
請求項１８の発明は、請求項１７の発明において、コンテンツサーバが、複数の付加音を記憶しており、第１の電話機から送信される選択信号に応じて合成すべき付加音を選択することを特徴とする。
【００３０】
請求項２２の発明は、請求項２１の発明において、複数の付加音を記憶する記憶手段を備え、前記第１の電話機から送信されてきた選択信号に応じて合成すべき付加音を選択することを特徴とする。
【００３１】
上記発明では、発信者である第１の電話機の所持者が、ＢＧＭや環境音などの背景音や合いの手などの効果音声を選択することにより、第２の電話機の所持者との通話の目的に合わせた付加音を付加合成して通話することができる。
【００３２】
請求項１９の発明は、請求項１７、１８の発明において、前記コンテンツサーバが、第１または第２の電話機から送られてくる発生指示信号に応じて効果音声を発生させることを特徴とする。
【００３３】
請求項２０の発明は、請求項１７〜１９の発明において、前記コンテンツサーバが、第１の電話機の通話音声または第２の電話機の通話音声の中から所定のキーワードを検出したとき、効果音声を発生させることを特徴とする。
【００３４】
請求項２３の発明は、請求項２１、２２の発明において、前記合成手段は、第１または第２の電話機から送られてくる発生指示信号に応じて効果音声を発生させることを特徴とする。
【００３５】
請求項２４の発明は、請求項２１〜２３の発明において、前記合成手段は、第１の電話機の通話音声または第２の電話機の通話音声の中から所定のキーワードを検出したとき、効果音声を発生させることを特徴とする。
【００３６】
効果音声は、合いの手などの短いものが一般的であり、タイミングよく発生しなければその効果を発揮することができない。そこで、請求項１９、２２の発明では通話者が発生指示信号を送信し、この発生指示信号に応じて効果音声を発生するようにした。これにより、通話者が効果音声を発生させたいと考えたタイミングで効果音声を発生させることができ、効果音声によって有効に効果音声を発生させることができる。
また、請求項２０、２３の発明では、通話音声から所定のキーワードを検出して、それに対応する効果音声を発生するようにした。これにより、通話者が効果音声を発生させる操作をしなくても、コンテンツサーバが、通話音声を認識しながら最適のタイミングを検出して自動的に効果音声を発生することができる。
【００３７】
【発明の実施の形態】
図１はこの発明の実施形態である携帯電話システムの構成を示す図である。この携帯電話システムは、複数の携帯電話機２、携帯電話ネットワーク３およびコンテンツサーバ１を備えている。通常の携帯電話機間の通話は、従来の携帯電話ネットワークと同様に以下の手順で行われる。
【００３８】
発信側の携帯電話機２Ａが携帯電話ネットワーク３に通話の着信側の携帯電話機２Ｂの電話番号を送信してアクセスする。
携帯電話ネットワーク３がこのアクセスに対応して携帯電話機２Ｂを呼び出す（携帯電話機２Ｂに呼び出しが着信する）。
携帯電話機２Ｂが応答すると、携帯電話ネットワーク３が携帯電話機２Ａと２Ｂとを接続して通話可能にする。
【００３９】
一方、この発明の第１の実施形態の携帯電話システムでは、携帯電話機２Ａと２Ｂがコンテンツサーバ１経由でリアルタイムに通話することもできる。この場合は、コンテンツサーバ１は携帯電話機２Ａ、３Ｂから送られてきた通話音声にＢＧＭや効果音声を付加・合成して再度携帯電話機２Ａ、２Ｂに転送する通話転送サービスを行う。
【００４０】
また、この発明の第２の実施形態の携帯電話システムでは、発信側の携帯電話機２Ａがコンテンツサーバ１に対して、携帯電話機２Ｂに対するメッセージや画像・曲データなどを登録して送信日時を指定しておくと、その指定された日時にコンテンツサーバ１が携帯電話機２Ｂにメール送信や通話発呼などを行って、この登録されたメッセージや画像・曲データなどを送り届ける電話メッセージサービスを行う。
【００４１】
≪第１の実施形態≫
第１の実施形態は、コンテンツサーバ１が通話転送サービスを行う携帯電話システムに関するものである。携帯電話機２Ａの所持者が通話転送サービスを利用して携帯電話機２Ｂに電話を掛けようとする場合、携帯電話機２Ａの所持者はまずコンテンツサーバ１に電話を掛ける。そして、このコンテンツサーバ１に対して合成する付加音を設定したのち、通話相手先である携帯電話機２Ｂの電話番号を入力すると、コンテンツサーバ１が携帯電話機２Ｂに電話を掛け、コンテンツサーバ１を介して携帯電話機２Ａと２Ｂが通話可能になる。携帯電話機２Ａと２Ｂの通話音声は全てコンテンツサーバ１を通過するため、このときにコンテンツサーバ１は、付加音を発生し、通話音声にこの付加音を合成して転送する。
【００４２】
なお、付加音としては、通話中に継続的にバックグラウンドに流れている背景音と単発的に発生される効果音声がある。背景音としては、ＢＧＭ（バックグラウンドミュージック）、駅の騒音や自然の音などの環境音などがあり、効果音声としては、合いの手や自然界の音などがある。ここでは、背景音としてＭＩＤＩなどの曲データによって自動演奏されるＢＧＭを用い、効果音声として図２に示すような音声を用いるが、この発明はこれに限定されるものではない。
【００４３】
コンテンツサーバ１は複数のＢＧＭを記憶しており、携帯電話機２Ａの所持者は、通話を開始する前に所望のＢＧＭを選択することができる。この選択は、たとえば携帯電話機２Ａのテンキー（＊キー、＃キーを含む：以下同じ）を操作してＤＴＭＦ信号を送信することにより行うことができる。このＢＧＭは携帯電話機２Ａと２Ｂの通話中に通話音声のバックグラウンドで演奏される。
【００４４】
また、効果音声は、携帯電話機２Ａの所持者のテンキー操作、および、携帯電話２Ａ、２Ｂの所持者（通話者）の通話音声（所定のキーワード）に対応して発生される。すなわち、携帯電話機２Ａの所持者が通話中にテンキーを操作してＤＴＭＦ信号を送信したとき、これに対応してコンテンツサーバ１がそのテンキーに対応する効果音声を発生する。また、携帯電話機２Ａの所持者または携帯電話機２Ｂの所持者がその通話において所定のキーワードを発話したとき、コンテンツサーバ１はこれを認識し、これに対応してこのキーワードに対応する効果音声を発生する。
【００４５】
コンテンツサーバ１は複数種類の効果音声セットを記憶している。効果音声セットとは、たとえばテンキーの１、２、…、９、０のそれぞれに対応する効果音声のセットであり、これを複数セット記憶している。また、所定のキーワードに対応する効果音声も、１又は複数のキーワードおよびそれに対応する１又は複数の効果音声を１セットとして、複数セット記憶している。
【００４６】
図２はテンキーに対応する効果音声セットの例を示す図である。同図（Ａ）は、テンキーの１〜７に対応づけて自然音を組み合わせたセットの例であり、たとえば、携帯電話機２Ａの所持者が通話中にテンキーの１を押すと、コンテンツサーバ１は風の音を発生して通話音声に合成する。また、同図（Ｂ）は、テンキーの１〜９に対応づけて関西弁の音声（喋り言葉）を組み合わせたセットであり、たとえば、携帯電話機２Ａの所持者が通話中にテンキーの１を押すと、コンテンツサーバ１は「なんでやねん」という言葉を発生して通話音声に合成する。同図（Ｃ）は、テンキーの１〜９に対応づけて特定のテレビ番組中の音声を組み合わせたセットであり、たとえば、携帯電話機２Ａの所持者が通話中にテンキーの１を押すと、コンテンツサーバ１は「８時だよ」という言葉を発生して通話音声に合成する。
【００４７】
なお、この実施形態では、携帯電話機２Ａのテンキー操作のみに効果音声セットを割り当てているが、携帯電話機２Ｂのテンキー操作にも効果音声セットを対応づけるようにしてもよい。
【００４８】
また、所定のキーワードに対応する効果音セットとしては、たとえば、キーワード「ありがとう」に対して「どういたしまして」の効果音声を対応づけたり、「すみません」に対して「こちらこそ」の効果音声を対応づけるなどした効果音声セットなどが用意すれはよい。また、携帯電話機２Ａからの通話音声に対応づける効果音声セットと、携帯電話機２Ｂからの通話音声に対応づける効果音声セットを別々に設定しても同一に設定してもよい。また、いずれか一方のみに設定してもよい。
【００４９】
携帯電話機２Ａの所持者は、通話を開始する前に所望の効果音セットを選択して、自分の携帯電話機２Ａのテンキー、自分の通話音声、および、相手の通話音声にそれぞれ割り当てる。この選択は、たとえば携帯電話機２Ａのテンキーを操作してＤＴＭＦ信号を送信することにより行うことができる。
【００５０】
携帯電話機２Ａの所持者は、所望のＢＧＭおよび効果音声セットを選択したのち、通話相手である携帯電話機２Ｂの電話番号を入力して、この携帯電話機２Ｂに接続する。そして、携帯電話機２Ａの所持者が携帯電話２Ａのテンキーを操作したり、携帯電話機２Ａ、２Ｂの所持者が上記選択された効果音声セットに設定されているキーワードを発話したときに、それに対応する効果音声がコンテンツサーバ１によって発生され、通話音声に合成されて携帯電話機２Ａ、２Ｂに送信される。
【００５１】
図３は上記機能を実現するコンテンツサーバ１のブロック図である。コンテンツサーバ１は、制御部１０、通信処理部１１、記憶手段１２、音声信号処理部１３を備えている。通信処理部１１は、携帯電話ネットワーク３を介する携帯電話機２との通話を処理する。記憶手段１２は、ハードディスクなどのストレージからなり、複数のＢＧＭ用曲データ、効果音声セットなどを記憶している。制御部１０は、通信処理部１１、音声信号処理部１３の動作を制御するとともに、記憶手段１２に記憶しているＢＧＭ用曲データや効果音声セットを音声信号処理部１３にセットする。
【００５２】
音声信号処理部１３は、１または複数のＤＳＰで構成され、上記通話転送サービスを実行するために以下のような機能ブロックを備えている。
ＤＴＭＦ信号検出部１７は、発信側の携帯電話機２Ａから送られてきた通話音声信号を通信処理部１１から入力し、この音声信号からＤＴＭＦ信号を検出する検出部である。キーワードＡ検出部１８は、発信側の携帯電話機２Ａから送られてきた通話音声信号を通信処理部１１から入力し、この音声信号から所定のキーワードを検出する検出部である。キーワードＢ検出部１９は、着信側である携帯電話機２Ｂから送られてきた通話音声信号を通信処理部１１から入力し、この音声信号から所定のキーワードを検出する検出部である。
【００５３】
携帯電話機２Ａにおいてテンキーが操作されたとき、そのキーに応じた周波数のＤＴＭＦ信号（デュアルトーン多重周波数信号）がコンテンツサーバ１へ送信されてくるが、ＤＴＭＦ信号検出部１７は、前記携帯電話機２Ａから送られてきたＤＴＭＦ信号に基づいて、携帯電話機２Ａにおいて操作されたキーを検出する。このため、ＤＴＭＦ信号を構成する７種類の周波数のみを通過させる極めて狭帯域の帯域通過フィルタ、各フィルタを通過した信号のレベルを検出するレベル検出部、高いレベルが検出された周波数の組み合わせに基づいて、携帯電話機２Ａにおいて操作されたキーを割り出すキー割出部などを備えている。これによって、割り出されたキー番号は、通話中は後段の効果音声発生部２２に送られ、通話開始前、すなわちＢＧＭの選択中、効果音声セットの選択中、相手先電話番号の入力中には、インタフェースを介して制御部１０に送られる。
【００５４】
また、このＤＴＭＦ信号検出部１７が検出したＤＴＭＦ信号の周波数はフィルタ２０にも送られる。このフィルタ２０は、携帯電話機２Ａから送られてきた通話音声中に含まれていた上記ＤＴＭＦ信号を除去するためのフィルタであり、極めてＱの高い上記７種類の周波数の帯域遮断フィルタからなっている。通話音声の音質を損なわないため、ＤＴＭＦ信号検出部１７がＤＴＭＦ信号を検出したときのみ、そのＤＴＭＦ信号の周波数に対応する帯域遮断フィルタを機能させる（信号ラインに挿入する）ようにしている。
【００５５】
また、キーワードＡ検出部１８およびキーワードＢ検出部１９は、たとえばＨＭＭ（隠れマルコフモデル）などの確率モデルを用いた音声認識部を備えており、所定のキーワードに対応する効果音声セットが携帯電話機２Ａの所持者によって選択されたとき、この所定のキーワードを認識するためのＨＭＭがインタフェース１６を介して制御部１０からセットされる。このＨＭＭは、そのキーワードを有する効果音声セットとともに記憶手段１２に記憶されている。キーワードＡ検出部１８が（セットされたＨＭＭで認識される）所定のキーワードを検出したとき、そのキーワードを検出した旨の信号を効果音声発生部２３に送出する。また、キーワードＢ検出部１９が（セットされたＨＭＭで認識される）所定のキーワードを検出したとき、そのキーワードを検出した旨の信号を効果音声発生部２４に送出する。なお、音声認識手法はＨＭＭなどの確率モデル法に限定されるものではない。
【００５６】
効果音声発生部２２、２３、２４には、それぞれ携帯電話機２Ａの所持者によって選択された効果音声セット（効果音声データ）がセットされる。この効果音声セットは、インタフェース１６を介して制御部１０から転送されてくる。
効果音声発生部２２は、前記ＤＴＭＦ信号検出部１７から所定のキー番号を検出した旨の信号が入力されたとき、それに対応する効果音声を発生して、その音声信号をミキサ２５に出力する。また、効果音声発生部２３、２４は、それぞれキーワードＡ検出部１８、キーワードＢ検出部１９から所定のキーワードを検出した旨の信号が入力されたとき、それに対応する効果音声を発生して、その音声信号をミキサ２５に出力する。
【００５７】
また、曲演奏部２１は、シーケンス部および楽音波形合成部を備え、インタフェース１６を介して制御部１０から転送されたＢＧＭ用曲データを演奏する。この曲データは携帯電話機２Ａの所持者が選択したものであり、通話開始前に記憶手段１２から転送されてくる。そして制御部１０から通話開始のトリガが送られてきたとき、このＢＧＭ用曲データに基づく自動演奏を開始する。ＢＧＭ用曲データは有限時間であるが、通話が継続している場合には、この曲データを繰り返し演奏する。この演奏によって発生された演奏音であるＢＧＭはミキサ２５に入力される。
【００５８】
ミキサ２５は、これらＢＧＭおよび効果音声をミキシングして後段のミキサ２６、２７に入力する。
ミキサ２６は、携帯電話機２Ａから送られてきた通話音声信号（フィルタ２０によってＤＴＭＦ信号は除去されている）と上記ＢＧＭ、効果音声とをミキシングして通信処理部１１に入力する。通信処理部１１は、この音声信号を携帯電話機２Ｂに転送する。一方、ミキサ２７は、携帯電話機２Ｂから送られてきた通話音声信号と上記ＢＧＭ、効果音声とをミキシングして通信処理部１１に入力する。通信処理部１１は、この音声信号を携帯電話機２Ａに転送する。
【００５９】
音声信号処理部１３の上記機能により、携帯電話機２Ａと２Ｂの通話音声にＢＧＭや効果音声を合成した通話転送サービスが可能になる。
【００６０】
図４は、前記コンテンツサーバ１の制御部１０の動作を示すフローチャートである。この動作は携帯電話機２Ａから電話を受けて携帯電話機２Ｂとの間で通話転送サービスを行うときの動作を示している。携帯電話機２Ａから着信があると（ｓ１）、コンテンツサーバ１においては、通信処理部１１がこれに応じてフックオフし、制御部１０が合成音声などでこれに応答する（ｓ２）。
【００６１】
この応答に応じて携帯電話機２Ａの所持者は、コンテンツサーバ１に対してＢＧＭ、３種類の効果音声セットなどを選択する。この選択は、テンキー（＊キー、＃キーを含む）の操作すなわちＤＴＭＦ信号によって行われる。なお、３種類の効果音声セットは、携帯電話機２Ａのテンキー操作に応じて発生する効果音声セット、携帯電話機２Ａから入力される所定のキーワードに応じて発生する効果音声セット、通話相手先である携帯電話機２Ｂから入力される所定のキーワードに応じて発生する効果音声セットの３種類であるが、携帯電話機２Ａの所持者は、これら３種類の効果音声セットおよびＢＧＭのなかから所望のものを１〜全て選択することができる。また、携帯電話機２Ａから入力される所定のキーワードに応じて発生する効果音声セット、および、携帯電話機２Ｂから入力される所定のキーワードに応じて発生する効果音声セットは、それぞれ別々のセットであっても同じセットであってもよい。
【００６２】
コンテンツサーバ１において、上記選択のためのＤＴＭＦ信号が送られてくると、ＤＴＭＦ信号検出部１７がこれを検出して、対応するテンキーの操作情報をインタフェース１６を介して制御部１０に入力する。制御部１０は、テンキー操作によって選択されたＢＧＭおよび／または効果音声セットを記憶手段１２から読み出して対応する曲演奏部２１および／または効果音声発生部２２〜２４に設定する（ｓ４）。
【００６３】
こののち、携帯電話機２Ａの所持者は通話相手先である携帯電話機２Ｂの電話番号を入力してくるため（ｓ５）、携帯電話ネットワーク３を介してこの電話番号に電話を掛け、携帯電話機２Ｂを発呼する（ｓ６）。これに対して携帯電話機２Ｂが応答すると（ｓ７）、音声信号処理部１３に対して、ＢＧＭの演奏、ＤＴＭＦ信号、所定のキーワードに対応した効果音声の発生を指示し、通話音声の合成転送をスタートする（ｓ８）。
携帯電話機２Ａと携帯電話機２Ｂの通話が継続している間、上記通話音声の通話転送を継続して実行し、どちらか一方が電話を切ったとき、上記通話音声の通話転送を終了して、他方との電話も切断する。
【００６４】
≪第２の実施形態≫
次に、この発明の第２の実施形態である電話メッセージサービスを行う携帯電話システムについて説明する。電話メッセージサービスは、上記のように発信側の携帯電話機２Ａが、携帯電話機２Ｂに対するメッセージや画像・曲データなどのメッセージコンテンツおよびその送信日時を、予めコンテンツサーバ１に登録しておき、その指定された送信日時になると、コンテンツサーバ１が携帯電話機２Ａに代わってそのコンテンツをメールや通話などによって携帯電話機２Ｂに送り届けるサービスである。
【００６５】
このサービスを実現するために、コンテンツサーバ１は、図５（Ａ）示すように、制御部３０、通信処理部３１、メッセージコンテンツ保存部３２、画像データベース３３および曲データベース３４を備えている。メッセージコンテンツ保存部３２は、携帯電話機２Ａの所持者が作成したグリーテンィグコンテンツをその送信日時まで保存するストレージである。また、画像データベース３３および曲データベース３４は、メッセージコンテンツに添付される画像および曲データが登録されているデータベースである。
【００６６】
携帯電話機２Ａの所持者が、携帯電話機２Ｂ（の所持者）にメッセージコンテンツを贈る場合、携帯電話機２Ａの所持者は、コンテンツサーバ１に電話を掛けて、音声のメッセージを携帯電話機２Ａを介してコンテンツサーバ１に録音するとともに、待ち受け画像、通話中の背景画像、着信時の着信メロディ（着メロ）、通話中のＢＧＭ（バック・グラウンド・ミュージック）を画像データベース３３、曲データベース３４から選択する。そして、携帯電話機２Ａの所持者がこのメッセージの送信日時および送り先である携帯電話機２Ｂの電話番号とメールアドレスを入力すると、コンテンツサーバ１は、この音声データ、画像と曲データの選択情報および電話番号、メールアドレスを送信日時が到来するまでメッセージコンテンツ保存部３２に保存する。
【００６７】
制御部３０は、メッセージコンテンツ保存部３２に保存している全てのメッセージコンテンツの送信日時を常時監視しており、送信日時が到来したものがあると、その選択情報に基づいて画像データベース３３から待ち受け画像、通話中背景画像の画像データを読み出すとともに、曲データベース３４から着メロ、ＢＧＭの曲データを読み出して、これをメールに添付して携帯電話機２Ｂに送信する。
【００６８】
なお、この実施形態では、画像データ、曲データをデータベースから選択するようにしているが、携帯電話機２Ａの所持者が携帯電話機２Ａから画像データ、曲データをアップロードするようにしてもよい。この場合には、メッセージコンテンツ保存部３２は、選択情報に代えてこの画像データ、曲データを保存する。
【００６９】
携帯電話機２Ｂは、このメールを受信して、上記添付書類をそれぞれ自動再生するように設定する。すなわち、待ち受け画像の画像データは、待ち受け時に常時表示されるように所謂待ち受け画像として設定され、背景画像の画像データは、通話中に表示されるように設定される。また、着メロの曲データは、電話の着信時に演奏されるように設定され、ＢＧＭの曲データは、通話中に演奏されるように設定される。
この画像データ、曲データの設定機能は、携帯電話機２Ｂの基本機能として組み込んでおいてもよいが、コンテンツサーバ１が上記メールに画像データ、曲データとともにＪＡＶＡ（登録商標）プログラムを添付し、携帯電話機２ＢがこのＪＡＶＡ（登録商標）プログラムを自動実行することで上記画像データ、曲データの設定処理が行われるようにしてもよい。
【００７０】
コンテンツサーバ１は、上記メールを送信したのち、一定時間待機し（携帯電話機２Ｂにおいて上記自動再生の設定が完了する程度の時間待機し）、この待機ののち、今度は、携帯電話機２Ｂに電話を掛ける。携帯電話機２Ｂではこの呼び出し時に着メロが演奏され、画面には、（その上に発信者の電話番号が表示されてはいるが）待ち受け画像が表示されている。この呼び出しに対して所持者が応答すると、演奏される曲がＢＧＭに変更されるとともに、画面に表示される画面が背景画像に変更される。そしてこの応答（フックオフ）が携帯電話ネットワーク３を介してコンテンツサーバ１に伝達される。
【００７１】
コンテンツサーバ１では、この応答に対応して、メッセージコンテンツ保存部３２に記憶している携帯電話機２Ａの所持者が録音したグリーティングメッセージを読み出して再生し、携帯電話機２Ｂに対して通話音声として送信する。これにより、携帯電話機２Ｂの所持者は、ＢＧＭが流れる環境で背景映像を見ながらグリーティングメッセージを聞くことができる。
【００７２】
ＢＧＭは着メロ用のスピーカから出力してもよく、通話時の受話用のスピーカから出力してもよい。また、携帯電話機２Ｂの所持者は、背景映像を見ながらグリーティングメッセージを聞きたい場合には、イヤホンなどのハンズフリー装置を装着してから応答するようにすればよい。
【００７３】
図６に携帯電話機２のブロック図を示す。この携帯電話機２は、上記のようにメールの添付書類として受信した画像データや曲データを、所持者の設定操作を経ずに自動処理で、待ち受け画像、背景画像、着メロ、ＢＧＭに自動設定する機能を備えている。
【００７４】
携帯電話機全体の動作を制御するシステムＣＰＵ４０には、バス５９を介してシステムＲＡＭ４１、システムＲＯＭ４２、通信部４３、音声処理部（コーダ／デコーダ）４４、楽曲演奏部４５、可変ゲインアンプ４８、可変ゲインアンプ５１（５１ａ、５１ｂ）、入力部５４、表示部５５が接続されている。システムＣＰＵ４０は、携帯電話の機能を実現するための電話機能プログラムを実行するとともに、コンテンツサーバ１などからダウンロードされてくるＪＡＶＡ（登録商標）プログラムを実行する。システムＲＡＭ４１には、コンテンツサーバ１から贈られてきた着メロ，ＢＧＭの曲データ、待ち受け画像，背景画像の画像データが記憶される。
【００７５】
通信部４３は、携帯電話ネットワーク３から贈られてきた電波をアンテナで受信し、その電波に重畳されている信号を復調するとともに、携帯電話ネットワーク３に対して送信する信号を変調してアンテナに供給する。通信部４３で復調された受話信号は、音声処理部（コーダ／デコーダ）４４において復号され、可変ゲインアンプ５１ａで増幅されたのち、ミキサ５２を介して受話用スピーカ５３から放音される。マイク５８から入力された送話信号は音声処理部４４において圧縮符号化されたのち送信信号として通信部４３に入力される。
【００７６】
楽曲演奏部４５は、システムＲＡＭ４１に記憶されている上記着メロ、ＢＧＭの曲データに基づいて楽曲を演奏する。着信時には、着メロを自動演奏し、これによって形成された楽音信号は、可変ゲインアンプ４８を介して呼出用スピーカ５０から放音される。また、通話中は、ＢＧＭを自動演奏し、これによって形成された楽音信号は、可変ゲインアンプ５１ｂおよびミキサ５２を介して受話用スピーカ５３から放音される。なお、ＢＧＭの楽音信号を着メロの楽音信号と同様に可変ゲインアンプ４８を介して呼出用スピーカ５０から放音するようにしてもよい。
【００７７】
入力部５４はテンキーなどのボタンスイッチを含んでおり、システムＣＰＵ４０は、このテンキーの操作に応じたＤＴＭＦ信号を楽曲演奏部４５で形成させて音声処理部４４、通信部４３を介して携帯電話ネットワーク３に送出する。また、表示部５５は、カラー液晶のマトリクスディスプレイであり、待ち受け画面や通話中の背景画像などが表示される。
【００７８】
図７は、第２の実施形態である電話メッセージサービスを実行する携帯電話システムの処理手順を示すフローチャートである。
まず、携帯電話機２Ａからコンテンツサーバ１に対して電話を掛けて、メッセージコンテンツを登録する（ｓ１０）。登録は以下のような処理を含んでいる。音声メッセージ（グリーティングメッセージ）を録音するとともに、待ち受け画像、背景画像を前記画像データベース３３に記憶されている画像データのなかから選択するか、または、携帯電話機２Ａからアップロードする。また、着メロ、ＢＧＭの曲データを前記曲データベース３４に記憶されている曲データのなかから選択するか、または、携帯電話機２Ａからアップロードする。上記コンテンツとともにこのコンテンツの送り先の電話番号、メールアドレス、および、このコンテンツの送信日時を送信する。
【００７９】
コンテンツサーバ１は携帯電話機２Ａから受信した上記メッセージコンテンツ（電話番号、メールアドレス、送信日時を含む）をメッセージコンテンツ保存部３２に保存する（ｓ１１）。そしてこのメッセージコンテンツの送信日時になるまで、このコンテンツについては何もしない（ｓ１２）。
【００８０】
このグリーテンィングコンテンツの送信日時が到来すると（ｓ１２）、まず送り先の携帯電話機２Ｂに対して、待ち受け画像，背景画像の画像データおよび着メロ，ＢＧＭの曲データを添付したメールを送信する（ｓ１３）。このメールに上記画像，曲データの自動設定を実行するＪＡＶＡ（登録商標）プログラムをさらに添付してもよい。
【００８１】
携帯電話機２Ｂはこのメールを受信し（ｓ１４）、待ち受け画像および背景画像の自動表示を設定するとともに（ｓ１５）、着メロおよびＢＧＭの自動演奏を設定する（ｓ１６）。これにより、このとき携帯電話機２Ｂの表示部５５には待ち受け画像が表示されている。
【００８２】
コンテンツサーバ１は、携帯電話機２Ｂが上記設定処理を実行する程度の時間待機したのち（ｓ１７）、携帯電話機２Ｂに対して電話を掛ける（ｓ１８）。この呼び出しにより、携帯電話機２Ｂでは、呼び出し音として、ｓ１６で設定した着メロが演奏される（ｓ１９）。所持者がフックオフボタンをオンしてこれに応答すると（ｓ２０）、この応答信号がコンテンツサーバ１に伝達される。一方、携帯電話機２Ｂでは、この応答に対応して、着メロに代えてＢＧＭの演奏がスタートし（ｓ２１）、表示部５５には、待ち受け画像に代えて背景画像が表示される（ｓ２２）。
【００８３】
コンテンツサーバ１は、携帯電話機２Ｂの応答に呼応して、メッセージコンテンツ保存部３２に保存していた音声メッセージを通話音声として送信する（ｓ２３）。この音声メッセージは携帯電話機２Ｂが受信して受話用スピーカ５３から放音し、所持者がこのメッセージを聞くことができる（ｓ２４）。
【００８４】
この第２の実施形態においては、コンテンツサーバ１が携帯電話機２Ｂに対して、先にメールで画像データや曲データなどを送信しておき、その後電話を掛けて音声メッセージを伝えるようにしているが、先に電話を掛けてグリーティングメールがある旨を伝え、その後グリーティングメールを送信するようにしてもよい。
【００８５】
このような手順で電話メッセージサービスをする場合のフローチャートを図８に示す。送信者である携帯電話機２Ａの所持者がコンテンツサーバ１にアクセスすると（ｓ３０）、コンテンツサーバ１ではこのユーザを認証し（ｓ３１）、認証がＯＫであれば、コンテンツサーバ１上でグリーティングメールの作成を許可し、送信先や送信日時の設定を受け付ける（ｓ３２）。このステップで作成されたグリーティングメール（送信先、送信日時を含む）は、メッセージコンテンツ保存部３２に保存される。
【００８６】
送信日時が到来すると、コンテンツサーバ１は送信先（携帯電話機２Ｂ）に電話を掛けて（ｓ３３）、受信者（携帯電話機２Ｂの所持者）が応答すると（ｓ３４）、送信者である携帯電話機２Ａの所持者が録音した音声メッセージ等を送信する（ｓ３５）。この音声メッセージは、挨拶（メッセージ）とこれからグリーティングメールを送信する旨の内容からなる。
【００８７】
受信者は、ここで一旦電話を切ってメールの着信を待つ（ｓ３６）。コンテンツサーバ１が携帯電話機２Ｂに対してグリーティングメールを送信し（ｓ３７）、携帯電話機２Ｂでは、これを受信してそのコンテンツを再生する（ｓ３８）。
グリーティングメールは画像や曲データからなり、メールを開くことによりこれらが自動再生されるものである。
【００８８】
なお、上記実施形態において、効果的な効果音の付加ができるように通話音声のノイズをキャンセルするようにしてもよい。また、ＢＧＭは電話機に曲データをダウンロードして再生してもよく、ストリーミング再生してもよい。
【００８９】
また、上記実施形態は、携帯電話機のシステムを例にあげて説明したが、インターネット電話などの他の電話システムにも適用することができる。
【００９０】
【発明の効果】
以上のようにこの発明によれば、コンテンツサーバを介して、第１の電話機から第２の電話機へ指定した送信日時に、音声メッセージとＡＶデータが一緒に再生されるメッセージコンテンツを送信することができるため、音声メッセージをＡＶデータで盛り上げることができるとともに、コンテンツサーバが送信日時を管理してくれるため、第１の電話機の所持者がこれを気にする必要がない。
【００９１】
また、この発明によれば、コンテンツサーバが第１の電話機と第２の電話機の通話を中継して、これらの通話音声にＢＧＭや環境音などの背景音や合いの手などの効果音声からなる付加音を合成することにより、この付加音によって通話を盛り上げたり、実際の環境とは異なる雰囲気で通話することができる。
【図面の簡単な説明】
【図１】この発明の実施形態である携帯電話システムの構成図
【図２】第１の実施形態の効果音声セットの例を示す図
【図３】第１の実施形態のコンテンツサーバのブロック図
【図４】前記コンテンツサーバの制御部の動作を示すフローチャート
【図５】第２の実施形態のコンテンツサーバのブロック図
【図６】携帯電話機のブロック図
【図７】第２の実施形態における処理の流れを示すフローチャート
【図８】第３の実施形態における処理の流れを示すフローチャート
【符号の説明】
１…コンテンツサーバ、２…携帯電話機、２Ａ…発信者の携帯電話機、２Ｂ…着信者の携帯電話機、３…携帯電話ネットワーク、
１０…制御部、１１…通信処理部、１２…記憶手段、１３…音声信号処理部、１６…インタフェース、１７…ＤＴＭＦ信号検出部、１８…キーワードＡ検出部、１９…キーワードＢ検出部、２０…フィルタ、２１…曲演奏部、２２，２３，２４…効果音声発生部、２５，２６，２７…ミキサ、
３０…制御部、３１…通信処理部、３２…メッセージコンテンツ保存部、３３…画像データベース、３４…曲データベース、
４０…ＣＰＵ、４１…ＲＡＭ、４２…ＲＯＭ、４３…通信部、４４…音声処理部、４５…楽曲演奏部、４８，５１ａ，５１ｂ…可変ゲインアンプ、５０…呼出用スピーカ、５２…ミキサ、５３…通話用スピーカ、５４…入力部、５５…表示部、５８…マイク
【図１】
2004274464.tif 000003
【図２】
2004274464.tif 000004
【図３】
2004274464.tif 000005
【図４】
2004274464.tif 000006
【図５】
2004274464.tif 000007
【図６】
2004274464.tif 000008
【図７】
2004274464.tif 000009
【図８】
2004274464.tif 000010